(57)【要約】【課題】潅水された水を排水し易くすることが可能な空気浄化緑化装置を提供する。【解決手段】土壌Ｓが充填されて植物Ｐが植えられる植栽部４０と、植栽部４０が収容される筐体３０と、筐体３０内の空気を吸引して当該筐体３０の外部へ排出することで、植栽部４０に空気を通過させる後側ファン５０と、植栽部４０への潅水を行うポンプ８２と、植栽部４０へ潅水された水を排水する水受け皿６０と、後側ファン５０及びポンプ８２の動作を制御する制御部８３と、を具備し、制御部８３は、第一の吸引量で後側ファン５０を動作させる第一処理と、ポンプ８２の動作に応じて、第一の吸引量よりも少ない第二の吸引量となるように、後側ファン５０を制御する第二処理と、を行う。【選択図】図５
2020156436.tif 000002
【特許請求の範囲】
【請求項１】
土壌が充填されて植物が植えられる植栽部と、
前記植栽部が収容される筐体と、
前記筐体内の空気を吸引して当該筐体の外部へ排出することで、前記植栽部に空気を通過させる通気部と、
前記植栽部への潅水を行う潅水部と、
前記植栽部へ潅水された水を排水する排水部と、
前記通気部及び前記潅水部の動作を制御する制御部と、
を具備し、
前記制御部は、
第一の吸引量で前記通気部を動作させる第一処理と、
前記潅水部の動作に応じて、前記第一の吸引量よりも少ない第二の吸引量となるように、前記通気部を制御する第二処理と、
を行う、
空気浄化緑化装置。
【請求項２】
前記制御部は、前記第二処理において、
前記通気部を停止させ、前記第二の吸引量を０にする、
請求項１に記載の空気浄化緑化装置。
【請求項３】
前記制御部は、
前記潅水部の動作を開始した場合、前記第二処理を開始する、
請求項１又は請求項２に記載の空気浄化緑化装置。
【請求項４】
前記制御部は、
前記潅水部の動作に応じて前記第二処理を終了する、
請求項１から請求項３までのいずれか一項に記載の空気浄化緑化装置。
【請求項５】
前記制御部は、
前記潅水部の動作が終了してから所定時間が経過した場合、前記第二処理を終了する、
請求項４に記載の空気浄化緑化装置。
【請求項６】
前記植栽部、前記筐体、前記通気部、前記潅水部及び前記排水部を１つのユニットとして、複数の前記ユニットが設けられ、
前記制御部は、
前記複数のユニットのうち、一部の前記ユニットに対して前記第二処理を行うと共に、前記一部のユニットを除くユニットに対して前記第一処理を行う、
請求項１から請求項５までのいずれか一項に記載の空気浄化緑化装置。
【請求項７】
前記制御部は、
前記複数のユニットの各ユニットに対して所定の順番で前記第二処理を行う、
請求項６に記載の空気浄化緑化装置。
【発明の詳細な説明】
【技術分野】
【０００１】
本発明は、緑化及び空気の浄化を行う空気浄化緑化装置の技術に関する。
【背景技術】
【０００２】
従来、緑化及び空気の浄化を行う空気浄化緑化装置の技術は公知となっている。例えば、特許文献１に記載の如くである。
【０００３】
特許文献１に記載の空気浄化緑化装置は、正面側及び背面側が開口した内側筐体と、内側筐体の正面側に設けられる植物生育基盤（植栽部）と、内側筐体の背面側に設けられるファン（通気部）と、植物生育基盤へ水を供給可能な潅水ポンプ（潅水部）と、潅水ポンプの動作を制御する制御装置（制御部）と、を具備する。前記空気浄化緑化装置は、ファンを稼動させて内側筐体の正面側から空気を吸い込む。当該空気は、植物生育基盤を通過する過程で浄化され、内側筐体の背面側から前記空気浄化緑化装置の外部へと排出される。制御装置は、このような植物生育基盤を通過する空気の通気量に応じて潅水ポンプを動作させ、植物生育基盤の潅水を行う。こうして植物生育基盤へと潅水された水は適宜内側筐体の外部へと排水される。
【０００４】
特許文献１に記載の空気浄化緑化装置においては、ファンの稼動によって、内側筐体内が負圧になる。特許文献１の制御装置は、このような内側筐体内の負圧を考慮していないため、ファンを稼動したままで（内側筐体が負圧の状態で）潅水ポンプを動作させる場合がある。この場合、潅水された水を外部へ排水しようとすると、当該水に対して内部へ引き込む力が働いて、当該水を排水し難くなる可能性があった。
【先行技術文献】
【特許文献】
【０００５】
【特許文献１】特開２０１７−１７６０７５号公報
【発明の概要】
【発明が解決しようとする課題】
【０００６】
本発明は、以上の如き状況を鑑みてなされたものであり、その解決しようとする課題は、潅水された水を排水し易くすることが可能な空気浄化緑化装置を提供するものである。
【課題を解決するための手段】
【０００７】
本発明の解決しようとする課題は以上の如くであり、次にこの課題を解決するための手段を説明する。
【０００８】
即ち、請求項１においては、土壌が充填されて植物が植えられる植栽部と、前記植栽部が収容される筐体と、前記筐体内の空気を吸引して当該筐体の外部へ排出することで、前記植栽部に空気を通過させる通気部と、前記植栽部への潅水を行う潅水部と、前記植栽部へ潅水された水を排水する排水部と、前記通気部及び前記潅水部の動作を制御する制御部と、を具備し、前記制御部は、第一の吸引量で前記通気部を動作させる第一処理と、前記潅水部の動作に応じて、前記第一の吸引量よりも少ない第二の吸引量となるように、前記通気部を制御する第二処理と、を行うものである。
【０００９】
請求項２においては、前記制御部は、前記第二処理において、前記通気部を停止させ、前記第二の吸引量を０にするものである。
【００１０】
請求項３においては、前記制御部は、前記潅水部の動作を開始した場合、前記第二処理を開始するものである。
【００１１】
請求項４においては、前記制御部は、前記潅水部の動作に応じて前記第二処理を終了するものである。
【００１２】
請求項５においては、前記制御部は、前記潅水部の動作が終了してから所定時間が経過した場合、前記第二処理を終了するものである。
【００１３】
請求項６においては、前記植栽部、前記筐体、前記通気部、前記潅水部及び前記排水部を１つのユニットとして、複数の前記ユニットが設けられ、前記制御部は、前記複数のユニットのうち、一部の前記ユニットに対して前記第二処理を行うと共に、前記一部のユニットを除くユニットに対して前記第一処理を行うものである。
【００１４】
請求項７においては、前記制御部は、前記複数のユニットの各ユニットに対して所定の順番で前記第二処理を行うものである。
【発明の効果】
【００１５】
本発明の効果として、以下に示すような効果を奏する。
【００１６】
請求項１においては、潅水された水を排水し易くすることができる。
【００１７】
請求項２においては、潅水された水を排水し易くすることができる。
【００１８】
請求項３においては、筐体内に水が溜まるのを効果的に抑制することができる。
【００１９】
請求項４においては、第二処理を行う時間をなるべく短くすることができる。
【００２０】
請求項５においては、簡単な処理で第二処理を終了させることができる。
【００２１】
請求項６においては、空気の浄化性能を確保することができる。
【００２２】
請求項７においては、空気の浄化性能を効果的に確保することができる。
【図面の簡単な説明】
【００２３】
【図１】第一実施形態に係る空気浄化緑化装置を示した断面図。
【図２】制御部の処理を示したフローチャート。
【図３】ファンが稼動している状態を示した断面図。
【図４】ポンプが稼動した直後の状態を示した拡大断面図。
【図５】ファンを停止させた状態を示した拡大断面図。
【図６】第二実施形態に係る空気浄化緑化装置を示した断面図。
【図７】制御部の処理のメインフローを示したフローチャート。
【図８】同じく、サブルーチンを示したフローチャート。
【図９】第一ユニットの後側ファンを停止させた状態を示した断面図。
【図１０】変形例に係る空気浄化緑化装置を示した断面図。
【発明を実施するための形態】
【００２４】
以下の説明においては、図中に記した矢印に従って、上下方向及び前後方向をそれぞれ定義する。
【００２５】
以下では、本発明の第一実施形態に係る空気浄化緑化装置１０について説明する。
【００２６】
空気浄化緑化装置１０は、緑化及び空気の浄化を行うためのものである。図１に示す空気浄化緑化装置１０は、本体部２０、筐体３０、植栽部４０、後側ファン５０、水受け皿６０、前側ファン７０及び制御ケース８０等を具備する。
【００２７】
本体部２０は、後述する筐体３０等を収納するためのものである。本体部２０は、前壁部２１、後壁部２２、側壁部２３及び天板２４等により縦長の箱状に形成される。
【００２８】
筐体３０は、植栽部４０を収納するためのものである。筐体３０は、本体部２０に収納可能な縦長の箱状に形成される。筐体３０は、前後に空気が通過可能となるように、前部及び後部が開口するように形成される。筐体３０は、本体部２０の前上端部に固定され、前後の開口部に後述する植栽部４０及び後側ファン５０が設けられる。
【００２９】
このような筐体３０は、本体部２０の後壁部２２に対して前方に間隔をあけて配置される。また、筐体３０は、後述する制御ケース８０に対して上方に間隔をあけて配置される。こうして、本体部２０には、筐体３０、制御ケース８０、後壁部２２、側壁部２３及び天板２４により区画された通気空間２５が形成される。
【００３０】
植栽部４０は、植物Ｐが植えられる部分である。植栽部４０は、箱状に形成される。植栽部４０は、前端部が筐体３０に締結されることで、当該筐体３０に固定される。こうして、植栽部４０は、前端部を除いて筐体３０に収納される。植栽部４０の前側面及び後側面には、前後に空気が通過可能となるように、複数の通気孔４０ａが形成される。また、植栽部４０の上面及び下面には、上から下へと水が通過可能となるように、複数の貫通孔４０ｂが形成される。このような植栽部４０には、土壌Ｓが充填される。植栽部４０は、プランター４１を具備する。
【００３１】
プランター４１は、植物Ｐを生育するためのものである。プランター４１には、土壌が充填されて植物Ｐが植えられる。当該プランター４１は、植物Ｐが前を向いて筐体３０外に露出するように、植栽部４０に設けられる。プランター４１は、上下に間隔をあけて複数（第一実施形態では３つ）設けられる。
【００３２】
後側ファン５０は、筐体３０内の空気を吸引して筐体３０外（通気空間２５）へと排出するものである。後側ファン５０は、筐体３０の後部（植栽部４０とは反対側）に設けられる。後側ファン５０は、植栽部４０に対して前後に間隔をあけて配置される。
【００３３】
水受け皿６０は、植栽部４０へ潅水された水を受け、筐体３０外へと排出するためのものである。水受け皿６０は、下方へ凹んだ凹状に形成される。水受け皿６０は、上部及び前部が開口するように形成される。水受け皿６０は、前後方向に対して上下方向に傾斜した姿勢で配置され、後下方へ水を案内可能に構成される。水受け皿６０は、筐体３０の下端部に設けられ、植栽部４０の下方に配置される。水受け皿６０は、筒部６１を具備する。
【００３４】
筒部６１は、軸線方向を後下方（前上方）に向けて配置される。筒部６１は、水受け皿６０の後側面から後下方へ突出するように形成される。筒部６１は、筐体３０の後下端部に挿通され、当該挿通された端部が通気空間２５で開口する。当該筒部６１は、排水ホース６１ａを介して後述する制御ケース８０のタンク８１と接続される。
【００３５】
このように構成される水受け皿６０は、植栽部４０に供給されて当該植栽部４０から下方へ落下した水を受けることができる。また、水受け皿６０は、当該受けた水を後下方へと導いて、筒部６１及び排水ホース６１ａを介してタンク８１へ戻すことができる。
【００３６】
前側ファン７０は、通気空間２５の空気を吸引して本体部２０の外部へと排出するためのものである。前側ファン７０は、通気空間２５の前端部に設けられる。
【００３７】
制御ケース８０は、後述する制御部８３等を収納するものである。制御ケース８０は、本体部２０の下部（筐体３０の下方）に設けられる。制御ケース８０は、タンク８１、ポンプ８２及び制御部８３を具備する。
【００３８】
タンク８１は、植栽部４０を潅水するための水を貯溜するものである。
【００３９】
ポンプ８２は、タンク８１内の水を吸い上げて、植栽部４０へ供給する（潅水する）ためのものである。ポンプ８２には、給水パイプ８２ａが接続される。給水パイプ８２ａは、一端部がポンプ８２と接続されると共に他端部８２ｂが筐体３０内における上端部（植栽部４０の上方）まで延出するように配設される。給水パイプ８２ａは、他端部８２ｂから下方へと水を排出可能に構成される。こうして給水パイプ８２ａから排出された水は、植栽部４０の上面（貫通孔４０ｂ）を下方へと通過して植栽部４０へと供給される。
【００４０】
制御部８３は、空気浄化緑化装置１０に設けられた機器の動作を制御するためのものである。制御部８３は、例えば、マイコン等によって構成され、空気浄化緑化装置１０に関する各種処理を実行可能に構成される。制御部８３は、後側ファン５０、前側ファン７０及びポンプ８２と接続される。
【００４１】
制御部８３は、後側ファン５０に対して信号を送信することで、後側ファン５０の動作を制御することができる。具体的には、制御部８３は、後側ファン５０に対して信号を送信することで、後側ファン５０の回転数を段階的（例えば、回転数が低い「弱運転」、回転数が中程度の「中運転」、回転数が高い「強運転」等）に変更したり、後側ファン５０の動作を停止することができる。
【００４２】
また、制御部８３は、前側ファン７０に対して信号を送信することで、前側ファン７０の動作を制御することができる。具体的には、制御部８３は、前側ファン７０に対して信号を送信することで、前側ファン７０の回転数を段階的に変更したり、前側ファン７０の動作を停止することができる。
【００４３】
また、制御部８３は、ポンプ８２に対して信号を送信することで、ポンプ８２の動作を制御することができる。具体的には、制御部８３は、ポンプ８２に対して信号を送信することで、ポンプ８２を稼動（動作を開始）させたり、ポンプ８２の動作を停止することができる。
【００４４】
以下では、図２を参照して、以上の如く構成された空気浄化緑化装置１０の制御部８３の処理について説明する。
【００４５】
制御部８３は、図２に示すフローチャートにより、空気浄化緑化装置１０を動作させる。制御部８３は、プログラムを適宜実行することで、図２に示すフローチャートのステップＳ１１０〜Ｓ１７０を実行する。
【００４６】
まず、ステップＳ１１０において、制御部８３は、後側ファン５０及び前側ファン７０を稼動させる。制御部８３は、ステップＳ１１０の処理が終了すると、ステップＳ１２０へ移行する。
【００４７】
ステップＳ１２０において、制御部８３は、累計ポイントが溜まったか否かを判断する。累計ポイントは、ポンプ８２を稼動させるか否かを判断するための値である。第一実施形態において、累計ポイントは、植栽部４０を通過する空気の通気量に関する情報を定量化（数値化）したものとなっている。累計ポイントは、通気量に関する所定の条件を満たした場合に、ポイントが加算される（それまでのポイントと合算される）ことで、適宜算出される。このような所定の条件としては、例えば、後側ファン５０の回転数及び運転時間等がある。
【００４８】
具体的には、制御部８３は、例えば、後側ファン５０が回転数が高い「強運転」で１分動いた場合に１ポイント、「強運転」よりも回転数が低い「弱運転」で１分動いた場合に０．２ポイントを加算する。制御部８３は、こうして加算したポイント（ポイントの合計値）が所定の閾値（例えば、１０００ポイント）を超えた場合に、累計ポイントが溜まったと判断する。なお、所定の閾値には、例えば、植栽部４０の土壌Ｓが乾燥していると推測される値等が適宜設定される。このような所定の閾値の値は、実験等によって適宜取得することができる。制御部８３は、累計ポイントが溜まったと判断した場合に（ステップＳ１２０：Ｙｅｓ）、ステップＳ１３０へ移行する。一方、制御部８３は、累計ポイントが溜まっていないと判断した場合に（ステップＳ１２０：Ｎｏ）、ステップＳ１１０へ移行する。
【００４９】
ステップＳ１３０において、制御部８３は、ポンプ８２を稼動させる。制御部８３は、ステップＳ１３０の処理が終了すると、ステップＳ１４０へ移行する。
【００５０】
ステップＳ１４０において、制御部８３は、後側ファン５０及び前側ファン７０の動作を停止する。制御部８３は、ステップＳ１４０の処理が終了すると、ステップＳ１５０へ移行する。
【００５１】
ステップＳ１５０において、制御部８３は、ポンプ８２が規定の時間稼動しているか否かを判断する。規定の時間は、予め設定されるポンプ８２の稼働時間である。規定の時間には、例えば、植栽部４０の潅水に必要なポンプ８２の稼働時間等が設定される。このような規定の時間は、実験等によって適宜取得することができる。制御部８３は、ポンプ８２が規定の時間稼動していると判断すると（ステップＳ１５０：Ｙｅｓ）、ステップＳ１６０の処理へ移行する。一方、制御部８３は、ポンプ８２が規定の時間稼動していないと判断すると（ステップＳ１５０：Ｎｏ）、ステップＳ１４０の処理へ移行する。
【００５２】
ステップＳ１６０において、制御部８３は、ポンプ８２を停止させる。制御部８３は、ステップＳ１６０の処理が終了すると、ステップＳ１７０へ移行する。
【００５３】
ステップＳ１７０において、制御部８３は、ポンプ８２を停止させてから所定時間が経過したか否かを判断する。所定時間は、後側ファン５０及び前側ファン７０を稼動させるか否かを判断するものである。所定時間には、例えば、ポンプ８２を停止してから、水受け皿６０からの排水が終了するまでの時間等が設定される。このような所定時間は、実験等によって適宜取得することができる。第一実施形態に係る所定時間には、「２０分」が設定されている。この「２０分」という時間は、ポンプ８２を停止してから水受け皿６０からの排水が終了するまでの時間となっている。制御部８３は、所定時間が経過していると判断すると（ステップＳ１７０：Ｙｅｓ）、累計ポイントをリセットしてステップＳ１１０の処理へ移行する。一方、制御部８３は、所定時間が経過していないと判断すると（ステップＳ１７０：Ｎｏ）、ステップＳ１６０の処理へ移行する。
【００５４】
以下では、上記ステップＳ１１０〜Ｓ１７０による空気浄化緑化装置１０の動作を、図３から図５を参照して、具体的に説明する。なお、図３から図５において、実線で示す矢印は、空気の流れを示すものである。また、破線で示す矢印は、水の流れを示すものである。
【００５５】
図３に示すように、後側ファン５０及び前側ファン７０が稼動すると（ステップＳ１１０）、空気の浄化が行われる。具体的には、後側ファン５０は、稼動することで筐体３０内の空気を吸引し、通気空間２５へと排出する。こうして、後側ファン５０は、筐体３０を前方から後方へと通過する空気の流れを発生させる。当該空気は、植栽部４０を前方から後方へと通過して、浄化される。当該浄化された空気は、通気空間２５へ流入する。
【００５６】
前側ファン７０は、稼動することで、通気空間２５の空気（浄化された空気）を吸引し、本体部２０の外部（前方）へと排出する。これによって、空気浄化緑化装置１０は、空気の浄化を行うことができる。また、前側ファン７０は、後側ファン５０で吸引した側と同じ側（前側）へ、浄化した空気を供給する（戻す）ことができる。
【００５７】
このような後側ファン５０及び前側ファン７０の動作おいて、植栽部４０は、通気されて徐々に乾燥する。また、植物Ｐが土壌Ｓに含まれた水分を吸収することでも、植栽部４０は徐々に乾燥する。こうして、潅水が必要な程度まで植栽部４０が乾燥すると、累計ポイントが溜まり（ステップＳ１２０：Ｙｅｓ）、ポンプ８２が稼動することとなる（ステップＳ１３０）。
【００５８】
図４に示すように、ポンプ８２が稼動すると、タンク８１の水が吸い上げられ、給水パイプ８２ａ（他端部８２ｂ）から植栽部４０へ水が供給される。これにより、植栽部４０の潅水を行って、植物Ｐの枯死を防止することができる。こうして潅水された水は、植栽部４０から下方へ落下して、水受け皿６０で受けられることとなる。
【００５９】
ここで、後側ファン５０が動作して筐体３０内の空気を吸引すると、当該筐体３０内は、負圧になる。こうして筐体３０内が負圧になると、筒部６１の外側から内側（筒部６１の後側から前側）へと水を引き込む力（図４に示す符号Ｆ参照）が発生する。このような状態で水受け皿６０で受けた水を排水しようとすると、当該引き込む力の影響で排水が阻害され、水受け皿６０から排水し難くなる可能性がある。
【００６０】
そこで、制御部８３は、図５に示すように、ポンプ８２の動作の開始後に後側ファン５０及び前側ファン７０を停止させている（ステップＳ１４０）。これによれば、筐体３０内の負圧を解消することができるため、前記引き込む力の影響を受けることなく水受け皿６０から水を排水することができる。これにより、スムーズに排水を行うことができるため、水受け皿６０に水が溜まる（残る）のを抑制することができる。これによれば、水受け皿６０に溜まった水の影響で金属部品が錆びたり、水受け皿６０に溜まった水が腐ったり、雑菌が繁殖したりする等の不具合が生じるのを抑制することができる。
【００６１】
ポンプ８２は、規定の時間が経過すると停止する（ステップＳ１５０：Ｙｅｓ、ステップＳ１６０）。植栽部４０へ潅水された水は、当該植栽部４０内を徐々に下方へ流れることとなる。このため、水受け皿６０は、ポンプ８２が停止した後も植栽部４０から落下した水を受けることとなる。よって、ポンプ８２の動作が停止しても、排水は引き続き行われることとなる。第一実施形態においては、ポンプ８２が停止してから２０分（所定時間）の間は、排水が行われることとなる。
【００６２】
こうして、ポンプ８２が停止してから２０分が経過すると（ステップＳ１７０：Ｙｅｓ）、後側ファン５０及び前側ファン７０は稼動する（ステップＳ１１０）。これによれば、排水が終了するまでの間、筐体３０内の負圧を解消することができるため、排水を最後までスムーズに行うことができる。これにより、水受け皿６０に水が溜まるのを効果的に抑制することができる。また、排水が終了してから速やかに後側ファン５０及び前側ファン７０を稼動させることもできる。これにより、なるべく早い段階で、空気の浄化を再開することができる。
【００６３】
以上の如く、第一実施形態に係る空気浄化緑化装置１０は、土壌Ｓが充填されて植物Ｐが植えられる植栽部４０と、前記植栽部４０が収容される筐体３０と、前記筐体３０内の空気を吸引して当該筐体３０の外部へ排出することで、前記植栽部４０に空気を通過させる後側ファン５０（通気部）と、前記植栽部４０への潅水を行うポンプ８２（潅水部）と、前記植栽部４０へ潅水された水を排水する水受け皿６０（排水部）と、前記後側ファン５０及び前記ポンプ８２の動作を制御する制御部８３と、を具備し、前記制御部８３は、第一の吸引量で前記後側ファン５０を動作させる第一処理（ステップＳ１１０）と、前記ポンプ８２の動作に応じて、前記第一の吸引量よりも少ない第二の吸引量となるように、前記後側ファン５０を制御する第二処理（ステップＳ１４０）と、を行うものである。
【００６４】
このように構成することにより、第二処理によって筐体３０内の負圧を緩和して、水受け皿６０からの排水を促すことができる。これによって、筐体３０内に水が溜まって不具合が生じるのを抑制することができる。
【００６５】
また、前記制御部８３は、前記第二処理（ステップＳ１４０）において、前記後側ファン５０を停止させ、前記第二の吸引量を０にするものである。
【００６６】
このように構成することにより、筐体３０内の負圧を効果的に緩和することができるため、水受け皿６０から排水し易くすることができる。
【００６７】
また、前記制御部８３は、前記ポンプ８２の動作を開始した場合（ステップＳ１３０）、前記第二処理（ステップＳ１４０）を開始するものである。
【００６８】
このように構成することにより、排水が必要なタイミングに合わせて第二処理を行うことができる。これにより、筐体３０内に水が溜まるのを効果的に抑制することができる。
【００６９】
また、前記制御部８３は、前記ポンプ８２の動作に応じて前記第二処理を終了する（ステップＳ１７０：Ｙｅｓ、ステップＳ１１０）ものである。
【００７０】
このように構成することにより、排水が終わるタイミングを考慮して第二処理を終了することが可能となる。これにより、第二処理を行う時間をなるべく短くすることができる。
【００７１】
また、前記制御部８３は、前記ポンプ８２の動作が終了（ポンプ８２が停止）してから所定時間が経過した場合、前記第二処理を終了する（ステップＳ１７０：Ｙｅｓ、ステップＳ１１０）ものである。
【００７２】
このように構成することにより、簡単な処理で第二処理を終了させることができる。
【００７３】
なお、第一実施形態に係る後側ファン５０は、本発明に係る通気部の実施の一形態である。
また、第一実施形態に係るポンプ８２は、本発明に係る潅水部の実施の一形態である。
また、第一実施形態に係る水受け皿６０は、本発明に係る排水部の実施の一形態である。
【００７４】
以下では、第二実施形態に係る空気浄化緑化装置１１０について説明する。
【００７５】
なお、以下において、第一実施形態に係る空気浄化緑化装置１０と同様に構成される部材については、第一実施形態と同一の符号を付し、その説明を省略する。
【００７６】
図６に示す第二実施形態に係る空気浄化緑化装置１１０は、潅水及び空気の浄化を行う部材（植栽部１３２等）を一まとめにしたユニットを複数（第二実施形態では３つ）設けた点で第一実施形態に係る空気浄化緑化装置１０と相違する。以下では、この相違点を中心に説明する。
【００７７】
第二実施形態に係る空気浄化緑化装置１１０は、本体部２０、第一ユニット１３０、第二ユニット１４０、第三ユニット１５０、前側ファン７０及び制御ケース８０を具備する。
【００７８】
第一ユニット１３０は、潅水及び空気の浄化を行うユニットである。第一ユニット１３０は、筐体１３１、植栽部１３２、後側ファン１３３、水受け皿１３４及びポンプ１３５を具備する。
【００７９】
筐体１３１、植栽部１３２、後側ファン１３３、水受け皿１３４及びポンプ１３５は、第一実施形態に係る筐体３０、植栽部４０、後側ファン５０、水受け皿６０及びポンプ８２と同様に構成される。当該水受け皿１３４は、筒部１３４ａに接続される排水ホース１３４ｂを介してタンク８１と接続される。また、ポンプ１３５は、給水パイプ１３５ａを介して筐体１３１の上方から植栽部１３２へと水を供給する。なお、図６においては、説明の便宜上、植栽部１３２には、プランター１３２ａを１つだけ記載しているが、実際には、第一実施形態のプランター４１と同様に、上下に間隔をあけて３つのプランター１３２ａが設けられる。
【００８０】
第二ユニット１４０は、第一ユニット１３０の下方に設けられる点を除いて、第一ユニット１３０と同様に構成される。具体的には、第二ユニット１４０の筐体１４１、植栽部１４２、後側ファン１４３、水受け皿１４４及びポンプ１４５は、第一ユニット１３０の筐体１３１、植栽部１３２、後側ファン１３３、水受け皿１３４及びポンプ１３５に相当する。また、植栽部１４２のプランター１４２ａ、水受け皿１４４の筒部１４４ａ及び排水ホース１４４ｂ、並びにポンプ１４５の給水パイプ１４５ａは、第一ユニット１３０の植栽部１３２のプランター１３２ａ、水受け皿１３４の筒部１３４ａ及び排水ホース１３４ｂ、並びにポンプ１３５の給水パイプ１３５ａに相当する。
【００８１】
第三ユニット１５０は、第二ユニット１４０の下方に設けられる点を除いて、第一ユニット１３０と同様に構成される。具体的には、第三ユニット１５０の筐体１５１、植栽部１５２、後側ファン１５３、水受け皿１５４及びポンプ１５５は、第一ユニット１３０の筐体１３１、植栽部１３２、後側ファン１３３、水受け皿１３４及びポンプ１３５に相当する。また、植栽部１５２のプランター１５２ａ、水受け皿１５４の筒部１５４ａ及び排水ホース１５４ｂ、並びにポンプ１５５の給水パイプ１５５ａは、第一ユニット１３０の植栽部１３２のプランター１３２ａ、水受け皿１３４の筒部１３４ａ及び排水ホース１３４ｂ、並びにポンプ１３５の給水パイプ１３５ａに相当する。
【００８２】
なお、図６においては、ポンプ１３５・１４５・１５５、排水ホース１３４ｂ・１４４ｂ・１５４ｂ及び給水パイプ１３５ａ・１４５ａ・１５５ａは、１つにまとめて記載しているが、実際には、個別に本体部２０内に設けられている。よって、例えば、第一ユニット１３０のポンプ１３５が稼動すると、給水パイプ１３５ａを介して植栽部１３２の潅水は行われるが、他の植栽部１４２・１５２の潅水は行われない。
【００８３】
制御ケース８０の制御部１８３は、第一ユニット１３０から第三ユニット１５０の後側ファン１３３・１４３・１５３及びポンプ１３５・１４５・１５５と接続される。制御部１８３は、当該後側ファン１３３・１４３・１５３及びポンプ１３５・１４５・１５５の動作を個別に制御することができる。また、制御部１８３は、前側ファン７０と接続され、当該前側ファン７０の動作を制御することができる。
【００８４】
以下では、図７を参照して、以上の如く構成された空気浄化緑化装置１１０の制御部１８３の処理について説明する。
【００８５】
図７に示すフローチャートは制御部１８３のメインとなる処理（メインフロー）を示している。制御部１８３は、図７に示すフローチャートにより、空気浄化緑化装置１１０を動作させる。制御部１８３は、プログラムを適宜実行することで、図７に示すフローチャートのステップＳ２１０〜Ｓ２４０を実行する。
【００８６】
まず、ステップＳ２１０において、制御部１８３は、全てのユニット１３０・１４０・１５０の後側ファン１３３・１４３・１５３、及び前側ファン７０を動作させる。制御部１８３は、ステップＳ２１０の処理が終了すると、ステップＳ２２０へ移行する。
【００８７】
ステップＳ２２０において、制御部１８３は、累計ポイントが溜まったか否かを判断する。制御部１８３は、後側ファン１３３・１４３・１５３の回転数及び運転時間等に応じてポイントを加算し、所定の閾値を超えた場合に累計ポイントが溜まったと判断する。第二実施形態において、制御部１８３は、ユニット１３０・１４０・１５０毎に累計ポイントを算出するのではなく、ユニット１３０・１４０・１５０全体で累計ポイントを算出し、累計ポイントの判断を行う。制御部１８３は、累計ポイントが溜まったと判断した場合に（ステップＳ２２０：Ｙｅｓ）、ステップＳ２３０へ移行する。一方、制御部１８３は、累計ポイントが溜まっていないと判断した場合に（ステップＳ２２０：Ｎｏ）、ステップＳ２１０へ移行する。
【００８８】
ステップＳ２３０において、制御部１８３は、Ｎ台（ユニットの台数の合計、第二実施形態では３台）のポンプ１３５・１４５・１５５を所定時間ずつずらして稼動させるサブルーチンの処理を行う。当該サブルーチンの処理については後述する。制御部１８３は、ステップＳ２３０の処理が終了すると、ステップＳ２４０へ移行する。
【００８９】
ステップＳ２４０において、制御部１８３は、Ｎ台のポンプ１３５・１４５・１５５及び後側ファン１３３・１４３・１５３が全て稼動したか否かを判断する。このとき、制御部１８３は、例えば、ポンプ１３５等への信号の送信履歴（ログ）から直近の稼動日時を確認する等して、稼動したか否かを判断する。制御部１８３は、ポンプ１３５等が全て稼動したと判断した場合に（ステップＳ２４０：Ｙｅｓ）、累計ポイントをリセットしてステップＳ２１０の処理へ移行する。一方、制御部１８３は、ポンプ１３５・１４５・１５５及び後側ファン１３３・１４３・１５３が全て稼動していないと判断した場合に（ステップＳ２４０：Ｎｏ）、ステップＳ２３０の処理へ移行する。
【００９０】
以下では、図８を参照して、ステップＳ２３０のサブルーチンの処理について説明する。
【００９１】
サブルーチンの処理は、所定の順番（第二実施形態では、第一ユニット１３０、第二ユニット１４０、第三ユニット１５０の順番）に潅水を行う処理である。制御部１８３は、サブルーチンの処理において、第一実施形態で行った後側ファン５０及びポンプ８２に対する制御（ステップＳ１３０〜Ｓ１７０）に相当する制御を、第一ユニット１３０、第二ユニット１４０及び第三ユニット１５０の後側ファン１３３・１４３・１５３及びポンプ１３５・１４５・１５５に対して行う。
【００９２】
まず、制御部１８３は、ステップＳ３１０〜Ｓ３６０において、第一ユニット１３０の後側ファン１３３及びポンプ１３５を制御する。
【００９３】
具体的には、制御部１８３は、第一ユニット１３０のポンプ１３５を稼動させた後で（ステップＳ３１０）、後側ファン１３３を停止し（ステップＳ３２０）、ポンプ１３５が規定の時間稼動しているか否かを判断する（ステップＳ３３０）。そして、制御部１８３は、ポンプ１３５が規定の時間稼動したと判断すると（ステップＳ３３０：Ｙｅｓ）、当該ポンプ１３５を停止して（ステップＳ３４０）、ポンプ１３５が停止してから所定時間（２０分）が経過したか否かを判断する（ステップＳ３５０）。その後、制御部１８３は、所定時間が経過したと判断すると（ステップＳ３５０：Ｙｅｓ）、後側ファン１３３を稼動させる（ステップＳ３６０）。制御部１８３は、ステップＳ３６０の処理が終了すると、ステップＳ３７０へ移行する。
【００９４】
制御部１８３は、こうして移行したステップＳ３７０〜Ｓ４３０において、第一ユニット１３０の後側ファン１３３及びポンプ１３５と同様の制御にて、第二ユニット１４０の後側ファン１４３及びポンプ１４５を制御する。
【００９５】
そして、制御部１８３は、ステップＳ４３０の処理が終了すると、第一ユニット１３０の後側ファン１４３及びポンプ１４５と同様の制御にて、第三ユニット１５０の後側ファン１５３及びポンプ１５５を制御する。こうして、制御部１８３は、Ｎ台のユニットの後側ファン及びポンプを順番に制御する。
【００９６】
このようなメインフロー及びサブルーチンによれば、第一ユニット１３０から第三ユニット１５０のポンプ１３５・１４５・１５５の稼動及び後側ファン１３３・１４３・１５３の停止を順番に行うことができる。これにより、排水を促進しながらも、空気の浄化能力を確保することができる。
【００９７】
以下では、このような排水の促進と空気の浄化とについて説明する。なお、以下では、図９を参照し、第一ユニット１３０の後側ファン１３３及びポンプ１３５を制御した場合を例に挙げて説明する。また、図９において、実線で示す矢印は、空気の流れを示すものである。また、破線で示す矢印は、水の流れを示すものである。
【００９８】
第一ユニット１３０のポンプ１３５が稼動すると（ステップＳ３１０）、当該第一ユニット１３０の植栽部１３２に潅水が行われ、水受け皿１３４へと水が落下することとなる。水受け皿１３４がこうして落下した水を排水するとき、後側ファン１３３は停止しており（ステップＳ３２０〜Ｓ３５０）、筐体１３１内の負圧は解消された状態となっている。このため、水受け皿１３４は、植栽部１３２から落下した水をスムーズに排水することができる。
【００９９】
このとき、第二ユニット１４０及び第三ユニット１５０は、後側ファン１４３・１５３が稼動しているため、第二ユニット１４０及び第三ユニット１５０においては、植栽部１４２・１５２に空気を通過させて空気を浄化することができる。
【０１００】
なお、第二ユニット１４０の潅水（ポンプ１４５の稼動及び後側ファン１４３の停止）を行うと（ステップＳ３７０〜Ｓ４２０）、第一ユニット１３０及び第三ユニット１５０において後側ファン１３３・１５３が稼動して空気の浄化が行われる。また、第三ユニット１５０の潅水を行うと、第一ユニット１３０及び第二ユニット１４０において後側ファン１３３・１４３が稼動して空気の浄化が行われる。
【０１０１】
以上のように、第二実施形態に係る制御部１８３は、第一ユニット１３０から第三ユニット１５０のうち、１つのユニットだけが潅水を行うようにして、残り２つのユニットで空気の浄化を継続して行うようにしている（ステップＳ２３０）。これによって、植栽部１３２・１４２・１５２の潅水を行う場合でも、空気の浄化を極力行うことができる。これによれば、後側ファン１３３・１４３・１５３を適宜停止して排水を促進しながらも、空気の浄化能力を確保することができる。
【０１０２】
以上の如く、第二実施形態に係る空気浄化緑化装置１１０は、前記植栽部１３２・１４２・１５２、前記筐体１３１・１４１・１５１、前記後側ファン１３３・１４３・１５３（通気部）、前記ポンプ１３５・１４５・１５５（潅水部）及び前記水受け皿１３４・１４４・１５４（排水部）を１つのユニットとして、複数の前記ユニット１３０・１４０・１５０が設けられ、前記制御部１８３は、前記複数のユニット１３０・１４０・１５０のうち、一部の前記ユニットに対して前記第二処理を行うと共に、前記一部のユニットを除くユニットに対して前記第一処理を行う（ステップＳ２３０）ものである。
【０１０３】
このように構成することにより、少なくとも１つのユニットで第一処理を絶えず行う（後側ファン１３３・１４３・１５３を稼動させる）ことができる。これによって、空気の浄化性能を確保することができる。
【０１０４】
また、前記制御部１８３は、前記複数のユニット１３０・１４０・１５０の各ユニットに対して所定の順番で前記第二処理を行う（ステップＳ２３０）ものである。
【０１０５】
このように構成することにより、極力多くのユニットで第一処理を行いながら、第二処理（後側ファン１３３・１４３・１５３を停止する処理、ステップＳ３２０、Ｓ３８０）を順次行うことができる。これにより、空気の浄化性能を効果的に確保することができる。
【０１０６】
なお、第二実施形態に係る後側ファン１３３・１４３・１５３は、本発明に係る通気部の実施の一形態である。
また、第二実施形態に係るポンプ１３５・１４５・１５５は、本発明に係る潅水部の実施の一形態である。
また、第二実施形態に係る水受け皿１３４・１４４・１５４は、本発明に係る排水部の実施の一形態である。
【０１０７】
以上、本発明の実施形態を説明したが、本発明は上記構成に限定されるものではなく、特許請求の範囲に記載された発明の範囲内で種々の変更が可能である。
【０１０８】
例えば、第一実施形態及び第二実施形態に係る植栽部４０・１３２・１４２・１５２には、３つのプランター４１・１３２ａ・１４２ａ・１５２ａが設けられるものとしたが、その設置個数は任意に設定することができる。また、植栽部４０・１３２・１４２・１５２は、植物Ｐが植えられていればよく、必ずしもプランター４１・１３２ａ・１４２ａ・１５２ａが設けられている必要はない。
【０１０９】
また、第一実施形態及び第二実施形態に係る空気浄化緑化装置１０・１１０は、通気空間２５を形成可能であれば、必ずしも本体部２０を具備する必要はない。この場合には、例えば、図１０に示す変形例に係る空気浄化緑化装置２１０のように、本体部２０にかえて、通気部２９０を設けることができる。通気部２９０は、断面形状が略Ｌ字状に形成される中空状の部材である。通気部２９０の内部には、通気空間２５が形成される。通気部２９０は、制御ケース８０に載置される。通気部２９０には、筐体３０が載置される。
【０１１０】
また、第一実施形態及び第二実施形態に係る空気浄化緑化装置１０・１１０は、必ずしも前側ファン７０を具備する必要はない。この場合、空気浄化緑化装置１０・１１０は、後側ファン５０・１３３・１４３・１５３からの空気を後方へ通過させる構成等にすることができる。
【０１１１】
また、第一実施形態及び第二実施形態に係る制御部８３・１８３は、累計ポイントに基づいて、ポンプ８２・１３５・１４５・１５５を稼動させるものとしたが、ポンプ８２・１３５・１４５・１５５を稼動させるか否かの基準は、必ずしも累計ポイントに限定されるものではない。制御部８３・１８３は、所定の基準に基づいて、ポンプ８２・１３５・１４５・１５５を稼動させてもよい。制御部８３・１８３は、このような基準として、例えば、植栽部４０・１３２・１４２・１５２の土壌Ｓの含水率を用いることができる。この場合、空気浄化緑化装置１０・１１０は、当該土壌Ｓの含水率を測定する水分センサーを具備し、当該水分センサーの測定結果に基づいてポンプ８２・１３５・１４５・１５５を稼動させることができる。当該構成において、制御部８３・１８３は、前記水分センサーの測定結果が所定の閾値未満となった場合に、ポンプ８２・１３５・１４５・１５５を稼動させればよい。
【０１１２】
また、第一実施形態及び第二実施形態に係る制御部８３・１８３は、ポンプ８２・１３５・１４５・１５５を稼動させてから後側ファン５０・１３３・１４３・１５３を停止させるものとしたが、ポンプ８２・１３５・１４５・１５５の稼動と後側ファン５０・１３３・１４３・１５３の停止とを行う順序は問わない。よって、制御部８３・１８３は、例えば、後側ファン５０・１３３・１４３・１５３を停止してからポンプ８２・１３５・１４５・１５５を稼動させてもよく、また、ポンプ８２・１３５・１４５・１５５の稼動と後側ファン５０・１３３・１４３・１５３の停止とを同時に行ってもよい。
【０１１３】
また、第一実施形態及び第二実施形態に係る制御部８３・１８３は、潅水を行うときに筐体３０・１３１・１４１・１５１内の圧力を下げることができれるのであれば、必ずしも後側ファン５０・１３３・１４３・１５３を停止する必要はない。この場合、制御部８３・１８３は、例えば、後側ファン５０・１３３・１４３・１５３の回転数を、潅水を行う前（ステップＳ１１０、ステップＳ２１０）よりも低くすればよい。
【０１１４】
また、第一実施形態及び第二実施形態に係る制御部８３・１８３は、ステップＳ１７０・Ｓ２３０において、２０分（所定時間）が経過すると後側ファン５０・１３３・１４３・１５３を稼動させるものとしたが、所定時間は２０分に限定されるものではなく、任意の時間とすることができる。
【０１１５】
また、後側ファン５０・１３３・１４３・１５３を稼動させるトリガー（ステップＳ１７０・Ｓ３５０・Ｓ４２０がＹｅｓとなる条件）は、必ずしもポンプ８２・１３５・１４５・１５５を停止してから経過した時間に限定されるものではなく、他の条件をトリガーとしてもよい。このような条件としては、例えば、ポンプ８２・１３５・１４５・１５５の稼働時間や水受け皿６０・１３４・１４４・１５４に溜まった水の量等がある。当該水の量で後側ファン５０・１３３・１４３・１５３を稼動させる場合、空気浄化緑化装置１０・１１０は、当該水の量を確認可能なセンサ（例えば、水受け皿６０・１３４・１４４・１５４の重量を測定する重量センサ等）を具備し、当該センサの検出結果に基づいて後側ファン５０・１３３・１４３・１５３を稼動してもよい。当該構成において、制御部８３・１８３は、例えば、水受け皿６０・１３４・１４４・１５４に水が残っていない（重量が所定の閾値以下となった）と判断した場合等に、後側ファン５０・１３３・１４３・１５３を稼動してもよい。
【０１１６】
また、空気浄化緑化装置１０・１１０は、このようなセンサを具備する場合には、当該センサの検出結果をトリガーに後側ファン５０・１３３・１４３・１５３を停止してもよい。具体的には、制御部８３・１８３は、ポンプ８２・１３５・１４５・１５５を稼動させた後で前記センサの検出結果を取得し、当該検出結果に基づいて水受け皿６０・１３４・１４４・１５４に水が溜まり始めたか否かを判断する。そして、制御部８３・１８３は、水が溜まり始めた（水受け皿６０・１３４・１４４・１５４の重量が増加した）と判断した場合に後側ファン５０・１３３・１４３・１５３を停止する。このような構成によっても、ポンプ８２・１３５・１４５・１５５の動作に応じて筐体３０・１３１・１４１・１５１内の圧力を緩和して、排水を促進することができる。
【０１１７】
また、第二実施形態においては、３つのユニットが設けられるものとしたが、ユニットの個数はこれに限定されるものではなく、任意の個数とすることができる。
【０１１８】
また、第二実施形態に係る制御部１８３は、第一ユニット１３０、第二ユニット１４０、第三ユニット１５０の順番に潅水を行う（後側ファン１３３・１４３・１５３を停止する）ものとしたが、潅水を行う順番はこれに限定されるものではなく、任意の順番とすることができる。当該構成において、例えば、制御部１８３は、累計ポイントをユニット毎に算出し、累計ポイント（通気量）が多いユニットから順番に潅水を行ってもよい。
【０１１９】
また、第二実施形態に係る制御部１８３は、第一ユニット１３０、第二ユニット１４０及び第三ユニット１５０の潅水を、１台ずつ行うものとしたが、潅水の制御は、全てのユニット１３０・１４０・１５０が同時に潅水を行わなければ、これに限定されるものではない。制御部１８３は、例えば、２台のユニットで同時に潅水を行うように制御してもよい。
【０１２０】
また、第二実施形態に係る制御部１８３は、前側ファン７０を適宜制御してもよい。制御部１８３は、例えば、後側ファン１３３・１４３・１５３の動作に応じて、前側ファン７０を制御してもよい。具体的には、制御部１８３は、後側ファン１３３・１４３・１５３を停止する場合に（ステップＳ３２０・Ｓ３８０）、前側ファン７０の回転数を低くしてもよい。
【符号の説明】
【０１２１】
１０  空気浄化緑化装置
３０  筐体
４０  植栽部
５０  後側ファン（通気部）
６０  水受け皿（排水部）
８２  ポンプ（潅水部）
８３  制御部
Ｐ    植物
Ｓ    土壌
【図１】
2020156436.tif 000003
【図２】
2020156436.tif 000004
【図３】
2020156436.tif 000005
【図４】
2020156436.tif 000006
【図５】
2020156436.tif 000007
【図６】
2020156436.tif 000008
【図７】
2020156436.tif 000009
【図８】
2020156436.tif 000010
【図９】
2020156436.tif 000011
【図１０】
2020156436.tif 000012